(57)【特許請求の範囲】
【請求項１】
建造物の開口部に固定された、既存上枠と既存下枠と左右の既存竪枠とから成る既存窓枠の屋外側に、新規上枠と新規下枠と左右の新規竪枠とから成る新規サッシ枠を取り付ける為のサッシ枠取付構造であって、
前記既存下枠の屋外側に下枠支承部材が設けられており、
この下枠支承部材は、その上面に前記新規下枠を固定する為の取付面を有する係合部材と、この係合部材の下方にこの係合部材に対する屋内外方向の位置調節を可能に設けられたスライド部材とを備えており、この係合部材の屋内側端部に設けられた下方が開口した係合凹溝を、前記既存下枠の屋外側端部に設けられた突条部に係合させると共に、前記スライド部材の屋内側端部に設けられた突き当て片を、前記建造物の外壁面に当接させる事により、前記取付面を水平に配置した状態で前記既存下枠に対して支持されており、
前記下枠支承部材の取付面に前記新規下枠を載置した状態で固定しており、
前記新規上枠とこの新規上枠に固定した上枠外れ止め部材との間で、前記既存上枠の一部を屋内外方向に挟持すると共に、前記各新規竪枠とこれら各新規竪枠にそれぞれ固定した竪枠外れ止め部材との間で、前記各既存竪枠の一部を屋内外方向に挟持する事により、前記新規上枠及び前記各新規竪枠を、前記既存上枠及び前記各既存竪枠に対してそれぞれ屋内外方向に関する変位を不能に固定している、
事を特徴とするサッシ枠取付構造。
【請求項２】
前記新規上枠の屋内側端部に、前記新規上枠及び前記各新規竪枠を、前記既存上枠及び前記各既存竪枠に対してそれぞれ屋内外方向に関する変位を不能に固定する以前の状態で、前記既存上枠の一部と係合し、前記新規上枠がこの既存上枠から屋外側に離隔する方向に変位するのを防止する為の仮止め部材が、前記新規上枠に対する上下方向の位置調節を可能に取り付けられている、請求項１に記載したサッシ枠取付構造。
【請求項３】
建造物の開口部に固定された、既存上枠と既存下枠と左右の既存竪枠とから成る既存窓枠の屋外側に、新規上枠と新規下枠と左右の新規竪枠とから成る新規サッシ枠を取り付ける為のサッシ枠取付構造であって、
前記既存下枠の屋外側に下枠支承部材が設けられており、
この下枠支承部材は、その上面に前記新規下枠を固定する為の取付面を有する係合部材と、この係合部材の下方にこの係合部材に対する屋内外方向の位置調節を可能に設けられたスライド部材とを備えており、この係合部材の屋内側端部に設けられた下方が開口した係合凹溝を、前記既存下枠の屋外側端部に設けられた突条部に係合させると共に、前記スライド部材の屋内側端部に設けられた突き当て片を、前記建造物の外壁面に当接させる事により、前記取付面を水平に配置した状態で前記既存下枠に対して支持されており、
前記新規上枠の屋内側端部には、前記新規上枠及び前記各新規竪枠を、前記既存上枠及び前記各既存竪枠に対してそれぞれ屋内外方向に関する変位を不能に固定する以前の状態で、前記既存上枠の一部と係合し、前記新規上枠がこの既存上枠から屋外側に離隔する方向に変位するのを防止する為の仮止め部材が、前記新規上枠に対する上下方向の位置調節を可能に取り付けられており、
前記下枠支承部材の取付面に前記新規下枠を載置した状態で固定すると共に、前記新規上枠及び前記各新規竪枠を、前記既存上枠及び前記各既存竪枠に対してそれぞれ屋内外方向に関する変位を不能に固定している、
事を特徴とするサッシ枠取付構造。
【発明の詳細な説明】
【技術分野】
【０００１】
本発明は、建造物の開口部に取り付けられた既存窓枠の屋外側に、例えば雨戸枠や窓枠等の新規サッシ枠を取り付ける為のサッシ枠取付構造に関する。
【背景技術】
【０００２】
従来から、建造物の開口部に取り付けられた既存窓の屋外側に、防犯対策の為に雨戸装置を後付けしたり、断熱性や防音性を向上させる為に新規窓を後付けしたりする（二重窓にする）事が広く行われている。又、その為の取付構造も種々提案されている（特許文献１等参照）。例えば、既存窓の屋外側に雨戸装置を取り付ける場合、雨戸装置を構成する雨戸枠を、既存窓の窓枠を取り囲む様に、建造物の外壁面にねじ止め固定したり、既存窓の窓枠に取付部材を利用して固定する事などが従来から行われている。
【０００３】
図２３は、従来の取付構造により既存窓の屋外側に取り付けられた雨戸装置の１例を示している。図示の構造の場合、雨戸装置１を構成する雨戸枠２は、既存窓枠３に対し、複数のパンチアンカブラケット４、４を介してねじ止め固定されていると共に、建造物の外壁面５に対し、複数の支持部材６、６を介して支承されている。具体的には、図２４に示す様に、前記既存窓枠３を構成する各枠の屋外側端部に設けられたヒレ状の突条部７を弾性的に挟持する様にして、断面略Ｌ字形の前記各パンチアンカブラケット４、４を取り付けた後、これら各パンチアンカブラケット４、４に対して、前記雨戸枠２を構成する各枠をそれぞれねじ止め固定している。又、この雨戸枠２を構成する雨戸下枠の下面の屋外側端部と前記外壁面５との間に、前記各支持部材６、６を斜めに架け渡す様にねじ止め固定している。
【０００４】
上述の様な取付構造によれば、居住者の要求に応じて、既存窓の屋外側に雨戸装置を後付けする事が可能になるが、次の様な点で未だ改良の余地がある。
第一に、パンチアンカブラケット４、４を、既存窓枠３を構成する各枠の突条部７に取り付ける作業の施工性が良くない。具体的には、前記各パンチアンカブラケット４、４を取り付けるには、これら各パンチアンカブラケット４、４を所定の取付位置にてハンマ等の工具で叩く事により、これら各パンチアンカブラケット４、４に形成された溝部８内に、前記突条部７を押し込む必要がある。この為、この様なパンチアンカブラケット４、４の取付作業は、対象となる窓が２階以上に存在する場合には、屋外に足場を組んで行う必要があり、施工性が良くない。
【０００５】
第二に、雨戸下枠の下面と外壁面５との間の複数個所に支持部材６、６が設けられている為、この外壁面５との色の組み合わせによっては、これら各支持部材６、６が目立ち、雨戸装置１の意匠性を低下させる可能性がある。
又、外壁構造の仕様が異なる工事案件では、雨戸下枠と外壁面５との位置関係（雨戸下枠の外壁面５からの突出量）や、裏打ち材の位置が特定できない事等により、支持部材６を使用できない場合もある。
【先行技術文献】
【特許文献】
【０００６】
【特許文献１】特開平７−５４５４５号公報
【特許文献２】特開２００３−３２１９８２号公報
【発明の概要】
【発明が解決しようとする課題】
【０００７】
本発明は、上述の様な事情に鑑み、既存窓の屋外側に取り付けられる建具の施工性及び意匠性を向上させる事のできる、サッシ枠取付構造を実現すべく発明したものである。
【課題を解決するための手段】
【０００８】
本発明のサッシ枠取付構造は、建造物の開口部に固定された、既存上枠と既存下枠と左右の既存竪枠とから成る矩形枠状の既存窓枠の屋外側に、新規上枠と新規下枠と左右の新規竪枠とから成る矩形枠状の新規サッシ枠（例えば雨戸枠や新規窓枠、シャッタ枠など）を取り付ける為の取付構造である。
【０００９】
特に本発明の場合には、前記既存下枠の屋外側に、下枠支承部材を設けている。
この下枠支承部材は、その上面に前記新規下枠を固定する為の取付面（載置面）を有する係合部材と、この係合部材の下方にこの係合部材に対する屋内外方向の位置調節を可能に設けられたスライド部材とを備えている。
又、前記係合部材の屋内側端部に設けられた下方が開口した係合凹溝を、前記既存下枠の屋外側端部に設けられた突条部に係合させると共に、前記スライド部材の屋内側端部に設けられた突き当て片を、前記建造物の外壁面に当接させる事により、前記取付面を水平に配置した状態で、前記下枠支承部材を前記既存下枠に対して支持している。
そして、この様な構成を有する下枠支承部材の取付面に、前記新規下枠を載置した状態で固定している。これにより、この新規下枠が前記既存下枠に対して、屋内外方向に変位するのを阻止すると共に、下方に変位する（傾斜する場合も含む）のを阻止している。
又、前記新規上枠及び前記各新規竪枠を、前記既存上枠及び前記各既存竪枠に対し、それぞれ屋内外方向に関する変位を不能に固定している。
尚、本発明を実施する場合に、前記突き当て片は前記外壁面に対して、単に当接させるだけの構成を採用する事もできるし、加えてねじ止め固定する構成を採用する事もできる。防水面を考慮した場合や、外壁の裏打ち材の位置を特定できない場合には、単に当接させる構成を採用する事が好ましい。但し、外壁面の表面性状等によって、単に当接させるだけでは十分な支持力（支承力）を得る事が難しい場合には、ねじ止め固定する事もできる。
【００１０】
又、本発明を実施する場合には、例えば、前記新規上枠と、この新規上枠に固定した上枠外れ止め部材との間で、前記既存上枠の一部（例えば屋外側端部に設けられた突条部の下辺）を屋内外方向に挟持する。又、前記各新規竪枠と、これら各新規竪枠にそれぞれ固定した竪枠外れ止め部材との間で、前記各既存竪枠の一部（例えば屋外側端部に設けられた突条部の側辺）を屋内外方向に挟持する。
【００１１】
更に、本発明を実施する場合には、例えば、前記新規上枠の屋内側端部に、この新規上枠に対する上下方向の位置調節を可能に、１乃至複数の仮止め部材を設ける。
そして、この仮止め部材を上方に移動させる事により、この仮止め部材を前記既存上枠の一部と係合させ、前記新規上枠に前記上枠外れ止め部材を固定する以前の状態で、この新規上枠が前記既存上枠から屋外側に離隔する方向に変位するのを防止する。
【発明の効果】
【００１２】
以上の様な構成を有する本発明のサッシ枠取付構造によれば、既存窓の屋外側に取り付けられる建具の施工性及び意匠性を向上させる事ができる。
即ち、本発明の場合には、既存下枠の屋外側に下枠支承部材を支持した状態で、この下枠支承部材がこの既存下枠に対して、屋内外方向に変位するのを阻止できると共に、下方に変位するのを阻止できる為、前記下枠支承部材の上に、予め矩形枠状に組み立てた新規サッシ枠を屋内側から載置して取り付け作業を行う事ができる。この為、２階以上に存在する窓を対象とする場合にも、足場を組まずに、屋内側から作業を行う事が可能になる。従って、新規サッシ枠、延いては増設する建具の取付作業の施工性を向上させる事ができる。
又、本発明の場合には、前記下枠支承部材を構成するスライド部材の屋内外方向に関する位置を調節し、このスライド部材の屋内側端部に設けられた突き当て片を、建造物の外壁面に当接させる事で、新規下枠を固定する為の取付面を水平に配置した状態で、前記下枠支承部材を前記外壁面に対して支持する事ができる。この為、前述した従来構造の場合の様に、新規下枠の下面と外壁面との間の複数個所に、別途支持部材を設けずに済む。従って、本発明によれば、増設する建具の意匠性を向上できると共に、外壁構造の仕様違いにも対応する事ができる。
【００１３】
又、請求項２、３に記載した発明によれば、新規上枠を既存上枠に固定する以前の状態で、この新規上枠がこの既存上枠から屋外側に離隔する方向に変位するのを防止できる。この為、作業者は、新規サッシ枠を片方の手で押さえながら、前記新規上枠を前記既存上枠に固定する等の作業を行わずに済み、施工性の更なる向上を図れる。
【図面の簡単な説明】
【００１４】
【図１】本発明の実施の形態の第１例を示す、雨戸装置を屋外側から見た模式図。
【図２】同じく図１のＡ−Ａ断面図。
【図３】同じく図１のＢ−Ｂ断面図。
【図４】同じく図２のＣ部拡大図。
【図５】同じく下枠支承部材を構成する係合部材を取り出して上方から見た図。
【図６】同じく図５のＤ−Ｄ断面図。
【図７】同じく下枠支承部材を構成するスライド部材を取り出して上方から見た図。
【図８】同じく図７のＥ−Ｅ断面図。
【図９】同じく雨戸下枠を取り出して上方から見た図。
【図１０】同じく図９のＦ−Ｆ断面図。
【図１１】同じく仮止めクリップを取り出して示す正面図（Ａ）、平面図（Ｂ）、右側面図（Ｃ）。
【図１２】同じく雨戸上枠のみを取り出して示す断面図。
【図１３】同じく図１２の右側から見た状態を示す模式図。
【図１４】同じく雨戸上枠を既存上枠に仮止めした状態を示す断面図。
【図１５】同じく既存上枠を省略した状態で図１４の下方から見た図。
【図１６】同じく雨戸上枠に裏板を取り付けた状態を示す断面図。
【図１７】同じく裏板を取り出して示す正面図（Ａ）、右側面図（Ｂ）。
【図１８】同じく雨戸上枠に上枠外れ止め部材を固定した状態を示す断面図。
【図１９】同じく図１８の右側から見た状態を示す模式図。
【図２０】同じく竪枠外れ止め部材の取付状態を説明する為に一部を省略して示す、図２に相当する図。
【図２１】同じく図３の左端部に相当する図。
【図２２】本発明の実施の形態の第２例を示す、図８に相当する図。
【図２３】従来の取付構造により取り付けられた雨戸装置を屋外側から見た模式図。
【図２４】従来の取付構造を説明する為に示す、パンチアンカブラケットの模式図。
【発明を実施するための形態】
【００１５】
［実施の形態の第１例］
図１〜２１は、本発明の実施の形態の第１例を示している。本例では、建造物の開口部に固定された既存窓９の屋外側に、建具である雨戸装置１ａを取り付ける場合に就いて説明する。以下、主に図１〜４を参照しつつ、前記既存窓９及び前記雨戸装置１ａの基本的な構成に就いて説明した後、この雨戸装置１ａの取付構造及び取付手順に就いて詳しく説明する。
【００１６】
図示の構造の場合、前記既存窓９は、引違い窓であり、既存窓枠１０の内側に、１対のガラス障子１１ａ、１１ｂ（外障子１１ａ、内障子１１ｂ）が、水平移動自在に引き違い式に建て込まれている。このうちの既存窓枠１０は、水平方向に配置されて上辺を構成する既存上枠１２と、同じく水平方向に配置されて下辺を構成する既存下枠１３と、鉛直方向に配置されて左右の縦辺を構成する１対の既存竪枠１４ａ、１４ｂとから成り、これら各枠１２〜１４ｂのそれぞれの端部を連結する事により矩形枠状に構成されている。これら各枠１２〜１４ｂは何れも、アルミニウム合金の一体押し出し成型材製である。又、前記各ガラス障子１１ａ、１１ｂは、それぞれの上辺を構成する上框１５ａ、１５ｂと、同じく下辺を構成する下框１６ａ、１６ｂと、それぞれが左右の縦辺を構成する竪框である、召し合わせ框１７ａ、１７ｂ及び戸先框１８ａ、１８ｂとにより、ガラスパネル１９ａ、１９ｂの四辺を囲んで成る。
【００１７】
又、前記既存上枠１２の屋外側端部には、網戸を構成する上框の上面に形成された上部案内溝に係合する為の、ヒレ状の網戸用上部案内レール２０が設けられている。同じく前記既存下枠１３の屋外側端部には、網戸を構成する下框の下面に設置された戸車と係合する為の、特許請求の範囲に記載した突条部に相当する、ヒレ状の網戸用下部案内レール部２１が設けられている。又、前記各既存竪枠１４ａ、１４ｂの内側面のうちの屋外側端部には、前記網戸用上部案内レール２０及び前記網戸用下部案内レール２１とそれぞれ連続する状態で、ヒレ状の側部突条２２ａ、２２ｂが設けられている。以上の説明から明らかな通り、図示の構造の場合、前記既存窓９には、前記雨戸装置１ａを取り付ける以前の状態で、図示しない網戸が水平移動自在に建て込まれていたものである。但し、本発明を実施する場合には、網戸が設けられていない構造を対象として実施する事もできる。
【００１８】
前記雨戸装置１ａは、ルーバ付の引違式雨戸であり、雨戸枠２３の内側に、１対の雨戸障子２４ａ、２４ｂ（外障子２４ａ、内障子２４ｂ）が、水平移動自在に引き違い式に建て込まれている。このうちの雨戸枠２３は、水平方向に配置されて上辺を構成する雨戸上枠２５と、同じく水平方向に配置されて下辺を構成する雨戸下枠２６と、鉛直方向に配置されて左右の縦辺を構成する１対の雨戸竪枠２７ａ、２７ｂとから成り、これら各枠２５〜２７ｂのそれぞれの端部を連結する事により矩形枠状に構成されている。これら各枠２５〜２７ｂは何れも、アルミニウム合金の一体押し出し成型材製である。
尚、雨戸枠２３が、特許請求の範囲に記載した新規サッシ枠に相当し、雨戸上枠２５、雨戸下枠２６、雨戸竪枠２７ａ、２７ｂが、それぞれ特許請求の範囲に記載した新規上枠、新規下枠、左右の新規竪枠に相当する。
【００１９】
又、前記各雨戸障子２４ａ、２４ｂは、矩形枠状の雨戸框２８ａ、２８ｂの内側に、複数枚のスラット（ルーバ）２９、２９を水平方向に配置して成る。このうちの雨戸框２８ａ、２８ｂは、それぞれの上辺を構成する雨戸上框３０ａ、３０ｂと、同じく下辺を構成する雨戸下框３１ａ、３１ｂと、それぞれが左右の縦辺を構成する竪框である、雨戸召し合わせ框３２ａ、３２ｂ及び雨戸戸先框３３ａ、３３ｂとのそれぞれの端部を連結する事により構成されている。又、前記各スラット２９、２９は、図示しない操作レバーを備えると共に水平方向の運動を上下方向の運動に変換できる開閉機構に連結されており、この操作レバーを水平方向に操作する事で、揺動可能に構成されている。尚、操作レバーの操作に基づきスラットを揺動させる為の開閉機構に就いては、例えば特許文献２に詳しく説明されており、本発明の特徴部分でもない為、これ以上の詳しい説明は省略する。又、図示は省略するが、前記各雨戸障子２４ａ、２４ｂの屋内側端部（スラット２９、２９の屋内側部分）には、虫の侵入を防止する為の網目状部材が取り付けられている。
【００２０】
前記各雨戸障子２４ａ、２４ｂを、前記雨戸枠２３の内側に水平移動自在に建て込む為に、前記各雨戸上框３０ａ、３０ｂの上端部を、前記雨戸上枠２５に設けられた上部案内溝３４ａ、３４ｂに係合させている。又、前記各雨戸下框３１ａ、３２ｂに回転可能に支持された戸車３５ａ、３５ｂを、前記雨戸下枠２６に設けられた１対の雨戸走行用レール３６ａ、３６ｂに係合させている。
【００２１】
次に、上述の様な構成を有する雨戸装置１ａの取付構造及び取付手順に就いて説明する。この雨戸装置１ａを、前記既存窓９（既存窓枠１０）の屋外側に取り付けるには先ず、この既存窓９から前記両ガラス障子１１ａ、１１ｂを取り外した状態で、前記既存下枠１３の屋外側に、土台となる下枠支承部材３７を室内側から取り付ける。この下枠支承部材３７は、それぞれがアルミニウム合金の一体押し出し成型材製である、係合部材３８と、スライド部材３９とから構成されており、前記既存下枠１３の長さ寸法とほぼ同じかこれよりも少しだけ短い長さ寸法を有している。
【００２２】
前記下枠支承部材３７を前記既存下枠１３に取り付ける状態では、前記係合部材３８と前記スライド部材３９とは、上下に重ねられた状態で、調節ねじ４０により仮止めされており、屋内外方向（短手方向）に関する相対変位を可能とされている。
【００２３】
前記係合部材３８は、断面略コ字形の取付基部４１と、この取付基部４１の屋内側端部から上方に立設する状態で設けられた断面鉤状の係合部４２とから成る。この取付基部４１は、底板部４３と、この底板部４３の屋内外方向両端部から立設した壁部４４ａ、４４ｂと、これら両壁部４４ａ、４４ｂの上端部から互いに近づく方向に折れ曲がる状態で設けられた取付板部４５ａ、４５ｂとを備えている。又、これら両取付板部４５ａ、４５ｂの上面には、互いに平行な平坦面である取付面（載置面）４６ａ、４６ｂが形成されている。又、前記底板部４３には、長手方向に離隔した状態で、屋内外方向に長い調節用長孔４７、４７が複数個（図示の例では３個）形成されていると共に、長手方向に関してこれら各調節用長孔４７、４７の両側部分に、それぞれが円孔である固定孔４８、４８が形成されている。又、前記係合部４２には、前記既存下枠１３の屋外側端部に設けられた前記網戸用下部案内レール２１と係合可能な、下方が開口した係合凹溝４９が形成されている。尚、本例の場合には、前記係合部４２の上面にも、前記各取付面４６ａ、４６ｂと平行な取付面４６ｃを形成している。
【００２４】
これに対し、前記スライド部材３９は、断面略矩形枠状の基部５０と、この基部５０の屋内側端部から屋内側に延出する状態で設けられた突き当て片５１とから成る。又、この基部５０を構成する上板部５２には、前記各調節用長孔４７、４７と等ピッチで、円孔である取付孔５３、５３が形成されている。尚、これら各取付孔５３、５３の直径は、前記各調節用長孔４７、４７の幅寸法よりも小さい。又、前記突き当て片５１の基端部と前記基部５０とが連結する位置は、図示の位置に限定されるものではない。
【００２５】
本例の場合には、前記係合部材３８と前記スライド部材３９とを、仮止め状態で、屋内外方向に関する相対変位を可能とする為に、これら係合部材３８とスライド部材３９とを上下に重ね、前記各調節用長孔４７、４７と前記各取付孔５３、５３とを整合させた状態で、前記各調節ねじ４０を上方からこれら各取付孔５３、５３に緩く螺合している。即ち、これら各調節ねじ４０を構成する頭部の下面と、前記底板部４３の上面との間に僅かに隙間が形成される様に緩く螺合し、これら各調節ねじ４０を構成する頭部の下面を、前記底板部４３の上面のうちで、前記各調節用長孔４７、４７の開口部の近傍部分に係合させている。この為、前記係合部材３８と前記スライド部材３９とは、前記各調節ねじ４０が前記各調節用長孔４７、４７の内側で移動できる範囲で、屋内外方向に関する相対変位が可能となる。
【００２６】
上述の様にして仮止めされた前記下枠支承部材３７を、前記既存下枠１３に取り付ける為に、前記係合部材３８の屋内側端部に設けられた前記係合凹溝４９を、前記既存下枠１３の屋外側端部に設けられた網戸用下部案内レール２１に係合させる。そして、この状態で、前記スライド部材３９を前記係合部材３８に対して屋外側に移動させて、屋内側端部に設けられた前記突き当て片５１の屋内側面を、建造物を構成する外壁面５に当接させる（突き当てる）。次いで、前記スライド部材３９の前記係合部材３８に対する屋内外方向の位置を調節しつつ、前記両取付面４６ａ、４６ｂを水平に配置したならば、前記係合部材３８に設けられた固定孔４８、４８を通じて前記スライド部材３９の上板部５２に固定ねじ（ドリリングタッピングねじ）５４をねじ立てしながらねじ込む。これにより、前記係合部材３８と前記スライド部材３９とを、屋内外方向に関する相対変位を不能に結合固定する。この結果、本例の場合には、前記下枠支承部材３７を前記既存下枠１３に支持した状態で、この下枠支承部材３７がこの既存下枠１３に対して、屋内外方向に変位する事を阻止できると共に、下方に変位する（傾く場合を含む）事を阻止できる。又、本例の場合には、前記突き当て片５１を有するスライド部材３９を、前記係合部材３８に対して、屋内外方向に関する位置調節を可能としている為、前記既存下枠１３（網戸用下部案内レール２１）と前記外壁面５との位置関係が限定されずに実施できる。
【００２７】
前記下枠支承部材３７を前記既存下枠１３の屋外側に取り付けた後は、室内側で予め矩形枠状に連結しておいた前記雨戸枠２３を、前記既存窓枠１０の内側から屋外側に出し、前記雨戸下枠２６の下面を、前記下枠支承部材３７を構成する取付面４６ａ、４６ｂ上に載置する。そして、前記雨戸下枠２６に形成された通孔５５ａ、５５ｂを通じて、前記下枠支承部材３７を構成する取付板部４５ａ、４５ｂに固定ねじ５６ａ、５６ｂをねじ立てしながらねじ込む。これにより、前記雨戸下枠２６を前記下枠支承部材３７に対して固定する。
【００２８】
次いで、前記雨戸上枠２５及び前記各雨戸竪枠２７ａ、２７ｂを、前記既存上枠１２及び前記各既存竪枠１４ａ、１４ｂに対して、それぞれ屋内外方向に関する変位を不能に固定する作業を行うが、本例の場合には、この様な固定作業に先立って、前記雨戸上枠２５を前記既存上枠１２に対して仮止めし、この雨戸枠２３の姿勢を一時的に保持する。この為に本例の場合には、前記雨戸上枠２５の両端部に、仮止めクリップ５７を取り付けており、これら各仮止めクリップ５７を利用して、前記雨戸枠２３の姿勢を一時的に保持する様にしている。
【００２９】
前記仮止めクリップ５７は、金属薄板製で、断面略Ｌ字形に構成されており、基板部５８と、この基板部５８の屋内側端部から上方に向けて直角に折れ曲がった延出部５９とを備えている。又、この延出部５９の先端部（上端部）は、屋内側に向けて３０〜４０度程度折れ曲がった案内部６０が設けられている。又、前記延出部５９には、上下方向に長い１対の上下方向長孔６１、６１が互いに離隔した状態で形成されている。
【００３０】
上述の様な構成を有する前記各仮止めクリップ５７を取り付ける為に、前記雨戸上枠２５の屋内側端部に設けられた屋内側上部壁６２の長手方向両端部に、それぞれ１対の取付孔６３、６３を形成している。この屋内側上部壁６２の下端部には、屋外側に開口したあり溝状の係止溝６４が全長に亙って形成されており、前記各取付孔６３、６３は、この係止溝６４内に開口する様に形成されている。又、前記屋内側上部壁６２の長手方向中間部には、この係止溝６４に開口する状態で、１対の固定孔６５ａ、６５ｂの組が複数（図示の例では５組）形成されている。又、前記屋内側上部壁６２の下端部（係止溝６４が形成された部分）の屋内側面には、屋内外方向の微小な凹凸が上下方向に交互に設けられた係合粗面６６が形成されている。そして、前記各仮止めクリップ５７に形成された前記各上下方向長孔６１、６１を通じて、調節ねじ６７、６７を、前記各取付孔６３、６３に螺合している。尚、本例の場合には、前記各延出部５９の屋外側面と前記屋内側上部壁６２の屋内側面との間に、複数のワッシャを介在させた状態で、前記調整ねじ６７、６７を螺合している。これにより、前記各仮止めクリップ５７を、前記雨戸上枠２５（屋内側上部壁６２）に対して、上下方向に関する位置調節を可能に取り付けている。
【００３１】
本例の場合には、前記各仮止めクリップ５７を下方に位置させたまま、前記雨戸上枠２５を前記既存上枠１２に近づける様に、前記雨戸枠２３の傾きを小さくし（鉛直方向に立ち上げ）、前記雨戸上枠２５の屋内側端部の上部に設けられたパッキン保持用の張出保持部６８の先端部、及び、この張出保持部６８に保持されたパッキン６９の先端部を、前記網戸用上部案内レール２０の屋外側面に当接させた状態で、前記各仮止めクリップ５７を上方に移動させる。そして、前記網戸用上部案内レール２０の屋内側に、前記各延出部５９を進出させる。これにより、前記雨戸上枠２５が前記既存上枠１２から離れる様に前記雨戸枠２３が傾く事を防止して、この雨戸枠２３の姿勢を一時的に保持する。尚、前記各延出部５９の上端部に設けられた案内部６０は、前記各仮止めクリップ５７を上方に移動させた際に、前記網戸用上部案内レール２０の下辺と当接する事で、前記各延出部５９をこの網戸用上部案内レール２０の屋内側に案内する（弾性変形させる）機能を発揮すると共に、前記各仮止めクリップ５７を下方に移動させる際の操作部として機能する。
【００３２】
本例の場合には、上述の様にして、前記各仮止めクリップ５７を利用して、前記雨戸上枠２５を前記既存上枠１２に対して仮止めしたならば、この雨戸上枠２５及び前記各雨戸竪枠２７ａ、２７ｂを、前記既存上枠１２及び前記各既存竪枠１４ａ、１４ｂに対して、それぞれ屋内外方向に関する変位を不能に固定（本止め）していく。本例の場合には、前記各仮止めクリップ５７を利用して、前記雨戸枠２３の姿勢を保持している為、固定作業を開始する際に、作業者はこの雨戸枠２３を手で支えておく必要がない。
【００３３】
前記雨戸上枠２５を前記既存上枠１２に対し固定する作業に就いて説明する。本例の場合には、この様な固定作業に先立って、前記雨戸上枠２５の屋内側上部壁６２に形成された係止溝６４の内側に、複数個（本例の場合には５個）の裏板７０を固定しておく。尚、裏板７０の固定作業は、前記雨戸枠２３を矩形枠状に組み立てる以前に行っておく。これら各裏板７０は、矩形板状に構成されており、１対のねじ孔７１ａ、７１ｂが形成されている。この様な構成を有する裏板７０は、前記雨戸上枠２５の端部から前記係止溝６４内に挿入し、前記各ねじ孔７１ａ、７１ｂが前記屋内側上部壁６２に形成された固定孔６５ａ、６５ｂに整合する位置に配置する。そして、このうちの固定孔６５ａを挿通させた皿ねじ７２を、前記各ねじ孔７１ａに螺合し更に締め付ける。この際、これら各皿ねじ７２の頭部が、前記屋内側上部壁６２の屋内側面から屋内側に突出しない様に、頭部の直径が通常の皿ねじの直径（例えば８ｍｍ）よりも小さい特皿ねじ（例えば６ｍｍ）を使用する。
【００３４】
本例の場合には、上述の様に固定された前記各裏板７０を利用して、前記屋内側上部壁６２の屋内側に、上枠外れ止め部材７３を固定する。この上枠外れ止め部材７３は、断面略クランク形に構成されており、下半部７４に対し上半部７５が屋内側にずれて位置（オフセット）している。又、この下半部７４には、前記屋内側上部壁６２に形成された固定孔６５ｂ、６５ｂと等ピッチで、通孔７６、７６が形成されている。又、前記下半部７４の屋外側面には、前記屋内側上部壁６２の屋内側面に形成された前記係合粗面６６と係合可能な、屋内外方向の微小な凹凸が上下方向に交互に設けられた係合粗面７７が形成されている。本例の場合には、この係合粗面７７を前記屋内側上部壁６２の係合粗面６６に係合させた状態で、前記各通孔７６及び前記各固定孔６５ｂを通じて、固定ねじ７８を、前記各裏板７０に形成されたねじ孔７１ｂに螺合し更に締め付けている。これにより、前記上枠外れ止め部材７３を構成する上半部７５を、前記網戸用上部案内レール２０に対して、長手方向に於ける前記両仮止めクリップ５７同士の間部分で、屋内側から押し付けている。この結果、この網戸用上部案内レール２０を、前記雨戸上枠２５（張出保持部６８及びパッキン６９）と前記上枠外れ止め部材７３との間で、屋内外方向に挟持し、前記雨戸上枠２５を前記既存上枠１２に対し固定する。
【００３５】
最後に、前記各雨戸竪枠２７ａ、２７ｂを前記各既存竪枠１４ａ、１４ｂに対し固定する作業に就いて説明する。本例の場合には、前記各雨戸竪枠２７ａ、２７ｂの内側面の屋内側端部に、竪枠外れ止め部材７９ａ、７９ｂを固定する。これら各竪枠外れ止め部材７９ａ、７９ｂは、それぞれ断面略Ｌ字形で、取付板部８０ａ、８０ｂと、この取付板部８０ａ、８０ｂの屋内側端部からそれぞれ外側に直角に折れ曲がった張出板部８１ａ、８１ｂとを備える。又、前記各取付板部８０ａ、８０ｂには、それぞれ屋内外方向に長い屋内外方向長孔８２、８２が、上下方向に離隔した状態で複数個（図示の例では３個）形成されている。本例の場合には、先ず、前記各屋内外方向長孔８２、８２を挿通する状態で、固定ねじ８３（ドリリングタッピングねじ）を、前記各雨戸竪枠２７ａ、２７ｂの内側面の屋内側端部にねじ立てしながらねじ込む。尚、固定ねじ８３を通常のタッピングねじとして、前記屋内側端部に形成された図示しない取付孔に螺合しても良い。この際に、これら各竪枠外れ止め部材７９ａ、７９ｂを屋外側に向けて押し込む（移動させる）事により、前記張出板部８１ａ、８１ｂの屋外側面を、前記各既存竪枠１４ａ、１４ｂの屋外側端部に形成された側部突条２２ａ、２２ｂに対して屋内側から押し付ける。この結果、これら各側部突条２２ａ、２２ｂを、前記各雨戸竪枠２７ａ、２７ｂの屋内側端部と前記各竪枠外れ止め部材７９ａ、７９ｂとの間で、屋内外方向に挟持し、前記各雨戸竪枠２７ａ、２７ｂを前記各既存竪枠１４ａ、１４ｂに対し固定する。
【００３６】
以上の様にして、前記既存窓枠１０の屋外側に前記雨戸枠２３を取り付けたならば、この雨戸枠２３の内側に、前記両雨戸障子２４ａ、２４ｂを建て込み、次いで、前記既存窓枠１０の内側に、前記両ガラス障子１１ａ、１１ｂを建て込んで、全ての作業を終了する。
【００３７】
以上の様な構成を有する本例の取付構造によれば、既存窓９の屋外側に取り付けられる雨戸装置１ａの施工性及び意匠性を向上させる事ができる。
即ち、本例の場合には、前記既存下枠１３の屋外側に前記下枠支承部材３７を支持した状態で、この下枠支承部材３７がこの既存下枠１３に対して、屋内外方向に変位するのを阻止できると共に、下方に変位するのを阻止できる。この為、前記下枠支承部材３７の上に、予め矩形枠状に組み立てた前記雨戸枠２３を屋内側から載置して取り付け作業を行う事ができる。この為、２階以上に存在する窓を対象とする場合にも、足場を組まずに、屋内側から作業を行う事が可能になり、前記雨戸装置１ａの取付作業の施工性を向上させる事ができる。
【００３８】
又、本例の場合には、前記下枠支承部材３７を構成するスライド部材３９の屋内外方向に関する位置を調節し、このスライド部材３９の屋内側端部に設けられた突き当て片５１を、前記外壁面５に当接させる事で、前記雨戸下枠２６の取付面４６ａ〜４６ｃを水平に配置した状態で、前記下枠支承部材３７を前記外壁面５に対して支持する事ができる。この為、前述した従来構造の場合の様に、新規下枠の下面と外壁面との間の複数個所に、別途支持部材を設けずに済む。従って、本例の取付構造によれば、前記雨戸装置１ａの意匠性を向上できると共に、外壁構造の仕様違いにも対応する事ができる。
【００３９】
更に、本例の場合には、前記各仮止めクリップ５７を利用して、前記雨戸上枠２５に前記上枠外れ止め部材７３を固定する以前の状態で、この雨戸上枠２５が前記既存上枠１３から屋外側に離隔する方向に変位するのを防止できる。この為、作業者は、前記雨戸枠２３を片方の手で押さえながら、前記上枠外れ止め部材７３を固定する等の作業を行わずに済み、施工性の更なる向上を図れる。
【００４０】
［実施の形態の第２例］
図２２は、本発明の実施の形態の第２例を示している。本例の場合には、スライド部材３９ａの屋内側端部に設けた突き当て片５１ａを、屋内側に向かうに従って下方に向かう方向に傾斜した状態で大きく延出させており、屋内側及び下方への突出量を、前述した実施の形態の第１例の場合に比べて大きくしている。この様な構成を有する本例の場合には、第１例の場合に比べて、建造物を構成する外壁面からの既存窓枠の突出量が大きい場合や、既存窓枠の下側の外壁面が他の外壁面よりも奥に位置する構造（特にバルコニー）等に、好ましく適用できる。
その他の構成及び作用効果に就いては、前記実施の形態の第１例の場合と同様である。
【産業上の利用可能性】
【００４１】
上述した実施の形態の各例では、既存窓の屋外側に、２枚の雨戸障子を備えた雨戸装置を取り付ける場合に就いて説明したが、この雨戸装置に建て込む雨戸障子の数は、２枚に限らない（例えば４枚としても良い）。又、建て込む雨戸障子の種類に就いても、ルーバ付の引違式雨戸に限らず、従来から知られた各種構造を採用できる。更に、既存窓の屋外側に取り付ける建具の種類は、雨戸装置に限らず、例えば窓装置、シャッタ装置としても良い。
【符号の説明】
【００４２】
１、１ａ  雨戸装置
２    雨戸枠
３    既存窓枠
４    パンチアンカブラケット
５    外壁面
６    支持部材
７    突条部
８    溝部
９    既存窓
１０    既存窓枠
１１ａ、１１ｂ  ガラス障子
１２    既存上枠
１３    既存下枠
１４ａ、１４ｂ  既存竪枠
１５ａ、１５ｂ  上框
１６ａ、１６ｂ  下框
１７ａ、１７ｂ  召し合わせ框
１８ａ、１８ｂ  戸先框
１９ａ、１９ｂ  ガラスパネル
２０    網戸用上部案内レール
２１    網戸用下部案内レール
２２ａ、２２ｂ  側部突条
２３    雨戸枠
２４ａ、２４ｂ  雨戸障子
２５    雨戸上枠
２６    雨戸下枠
２７ａ、２７ｂ  雨戸竪枠
２８ａ、２８ｂ  雨戸框
２９    スラット
３０ａ、３０ｂ  雨戸上框
３１ａ、３１ｂ  雨戸下框
３２ａ、３２ｂ  雨戸召し合わせ框
３３ａ、３３ｂ  雨戸戸先框
３４ａ、３４ｂ  上部案内溝
３５ａ、３５ｂ  戸車
３６ａ、３６ｂ  雨戸走行用レール
３７    下枠支承部材
３８    係合部材
３９、３９ａ  スライド部材
４０    調節ねじ
４１    取付基部
４２    係合部
４３    底板部
４４ａ、４４ｂ  壁部
４５ａ、４５ｂ  取付板部
４６ａ、４６ｂ、４６ｃ  取付面
４７    調節用長孔
４８    固定孔
４９    係合凹溝
５０    基部
５１、５１ａ  突き当て片
５２    上板部
５３    取付孔
５４    固定ねじ
５５ａ、５５ｂ  通孔
５６ａ、５６ｂ  固定ねじ
５７    仮止めクリップ
５８    基板部
５９    延出部
６０    案内部
６１    上下方向長孔
６２    屋内側上部壁
６３    取付孔
６４    係止溝
６５ａ、６５ｂ  固定孔
６６    係合粗面
６７    調節ねじ
６８    張出保持部
６９    パッキン
７０    裏板
７１ａ、７１ｂ  ねじ孔
７２    皿ねじ
７３    上枠外れ止め部材
７４    下半部
７５    上半部
７６    通孔
７７    係合粗面
７８    固定ねじ
７９ａ、７９ｂ  竪枠外れ止め部材
８０ａ、８０ｂ  取付板部
８１ａ、８１ｂ  張出板部
８２    屋内外方向長孔
８３    固定ねじ
【図１】
0006444132.tif 000002
【図２】
0006444132.tif 000003
【図３】
0006444132.tif 000004
【図４】
0006444132.tif 000005
【図５】
0006444132.tif 000006
【図６】
0006444132.tif 000007
【図７】
0006444132.tif 000008
【図８】
0006444132.tif 000009
【図９】
0006444132.tif 000010
【図１０】
0006444132.tif 000011
【図１１】
0006444132.tif 000012
【図１２】
0006444132.tif 000013
【図１３】
0006444132.tif 000014
【図１４】
0006444132.tif 000015
【図１５】
0006444132.tif 000016
【図１６】
0006444132.tif 000017
【図１７】
0006444132.tif 000018
【図１８】
0006444132.tif 000019
【図１９】
0006444132.tif 000020
【図２０】
0006444132.tif 000021
【図２１】
0006444132.tif 000022
【図２２】
0006444132.tif 000023
【図２３】
0006444132.tif 000024
【図２４】
0006444132.tif 000025